(57)【特許請求の範囲】
【請求項１】
隣接する第１および第２物体を互いに締結し、この締結状態を維持するためのロック機構を有するロック機構付き掛止装置であって、
前記掛止装置は、前記第１物体に取付けられる掛金本体と、前記第２物体に取付けられる受金とを含み、
前記掛金本体は、
前記第１物体に固定されるベースと、
近位端部および遠位端部を有し、前記近位端部が前記受金の側および前記ベースの側へ旋回可能に前記ベースに連結される操作レバーと、
前記操作レバーの前記近位端部に旋回可能に連結されるとともに、前記受金に掛止められる掛金とを有し、
前記ロック機構は、
前記ベースに取り付けられ前記操作レバーとの間にスペースを形成するブラケットと、
前記スペース内に配置された第１保持板に固定され軸の回り方向へ旋回可能なスイベルと、
前記スペース内に配置され、前記スイベルを前記ベース側へと付勢するばねと、
前記スペース内に配置され、前記第１保持板に対向するとともに前記ブラケットに隣接する第２保持板とを有し、
前記スイベルは、前記軸方向に延びるとともに前記ブラケットから突出する摘部と、前記第１保持板に固定され前記摘部よりも幅方向における寸法が小さい軸部と、前記摘部と前記軸部との間に形成された第１肩部とを有し、
前記操作レバーには、その厚さ方向に貫通しスロット部および円孔部を有する案内孔が形成され、前記スロット部の長さが前記摘部の前記幅方向における寸法よりも大きく、かつ、前記長さに直交する幅が前記摘部の厚さ方向における寸法よりも大きく、前記円孔部は、前記軸部の前記幅方向における寸法よりも大きく、かつ、前記摘部の前記幅方向における寸法よりも小さくされ、
前記第２保持板には、前記スイベルの前記軸部が貫通するスロットが形成されることを特徴とする前記ロック機構付き掛止装置。
【請求項２】
前記スイベルは、前記摘部と前記軸部との間に、前記摘部よりも前記幅方向における寸法が小さく、かつ、前記軸部よりもその寸法が大きい頸部と、前記摘部と前記頸部との間に形成される前記第１肩部と、前記頸部と前記軸部との間に形成される第２肩部とを有し、
前記ブラケットは、前記ベースに固定される固定端部と、前記ベースに対向し前記スペースを形成する支持部と、前記支持部に形成され前記スイベルが貫通可能な円孔とを有し、
前記円孔の直径は、前記頸部の前記幅方向における寸法よりも小さくされ、前記第２肩部が前記スペースの外側に位置する請求項１記載のロック機構付き掛止装置。
【請求項３】
前記スロットの幅は、前記ブラケットに形成された前記円孔の直径よりも小さくされる請求項２に記載のロック機構付き掛止装置。
【請求項４】
前記ブラケット内に配置された前記ばねは、前記第１保持板で保持される側からその反対側へと向かってその径が小さくされた截頭円錐形のコイルばねである請求項１〜３のいずれかに記載のロック機構付き掛止装置。
【請求項５】
前記スイベルの前記摘部には、その厚さ方向に貫通する孔が形成される請求項１〜４のいずれかに記載のロック機構付き掛止装置。
【請求項６】
前記スペースは、前記ブラケットおよび一対の側壁によって画定される請求項１〜５のいずれかに記載のロック機構付き掛止装置。
【発明の詳細な説明】
【技術分野】
【０００１】
この発明は、互いに隣接する二つの物体、例えば、配電盤等の筐体本体と、その蓋とを締結して施錠するための掛止装置であって、その掛止状態を維持するためのロック機構付き掛止装置に関する。
【背景技術】
【０００２】
従来、筐体本体とその蓋を締結して施錠するための掛止装置は知られている。例えば、特許文献１によれば、筐体本体に固定された支持金具と、蓋に固定されたベース金具と、基端部がベース金具に回動可能の取り付けられた操作レバーとを有し、支持金具と操作レバーとを連結させて蓋を筐体本体に締結させる。ベース金具には、ベース面に起立するロック片が取り付けられ、操作レバーにはロック片が貫通可能な長穴が形成され、ベース金具と操作レバーとの締結時において、ロック片が長穴を貫通する。長穴から突出したロック片には、厚さ方向に貫通する穴が形成され、その穴に南京錠のシャックルを通すことによって、これら締結状態を維持することができる。
【先行技術文献】
【特許文献】
【０００３】
【特許文献１】特開２００４−１８３３２０号公報（ＪＰ２００４−１８３３２０Ａ）
【発明の概要】
【発明が解決しようとする課題】
【０００４】
従来の掛止装置においては、ロック片は、操作レバーの長穴に貫通するだけであって、ロック片そのものが操作レバーを閉じた状態に固定するものではない。
【０００５】
この発明は、操作レバーを閉じ状態に固定することができるロック機構を有し、掛金本体と受金との掛止を保持することができるロック機構付き掛止装置を提供することを課題とする。
【課題を解決するための手段】
【０００６】
この発明は、隣接する第１および第２物体を互いに締結し、この締結状態を維持するためのロック機構を有するロック機構付き掛止装置に関する。前記掛止装置は、前記第１物体に取付けられる掛金本体と、前記第２物体に取付けられる受金とを含む。前記掛金本体は、前記第１物体に固定されるベースと、近位端部および遠位端部を有し、前記近位端部が前記受金の側および前記ベースの側へ旋回可能に前記ベースに連結される操作レバーと、前記操作レバーの前記近位端部に旋回可能に連結されるとともに、前記受金に掛止められる掛金とを有する。前記ロック機構は、前記ベースに取り付けられ前記操作レバーとの間にスペースを形成するブラケットと、前記スペース内に配置された第１保持板に固定され軸の回り方向へ旋回可能なスイベルと、前記スペース内に配置され、前記スイベルを前記ベース側へと付勢するばねと、前記スペース内に配置され、前記第１保持板に対向するとともに前記ブラケットに隣接する第２保持板とを有する。前記スイベルは、前記軸方向に延びるとともに前記ブラケットから突出する摘部と、前記第１保持板に固定され前記摘部よりも幅方向における寸法が小さい軸部と、前記摘部と前記軸部との間に形成された第１肩部とを有する。前記操作レバーには、その厚さ方向に貫通しスロット部および円孔部を有する案内孔が形成され、前記スロット部の長さが前記摘部の前記幅方向における寸法よりも大きく、かつ、前記長さに直交する幅が前記摘部の厚さ方向における寸法よりも大きく、前記円孔部は、前記軸部の前記幅方向における寸法よりも大きく、かつ、前記摘部の前記幅方向における寸法よりも小さくされる。前記第２保持板には、前記スイベルの前記軸部が貫通するスロットが形成される。
【０００７】
この発明は、次の好ましい実施の形態を含む。
【０００８】
前記スイベルは、前記摘部と前記軸部との間に、前記摘部よりも前記幅方向における寸法が小さく、かつ、前記軸部よりもその寸法が大きい頸部と、前記摘部と前記頸部との間に形成される前記第１肩部と、前記頸部と前記軸部との間に形成される第２肩部とを有し、前記ブラケットは、前記ベースに固定される固定端部と、前記ベースに対向し前記スペースを形成する支持部と、前記支持部に形成され前記スイベルが貫通可能な円孔とを有し、前記円孔の直径は、前記頸部の前記幅方向における寸法よりも小さくされ、前記第２肩部が前記スペースの外側に位置する形態。
【００１０】
前記スロットの幅は、前記ブラケットに形成された前記円孔の直径よりも小さくされる形態。
【００１１】
前記ブラケット内に配置された前記ばねは、前記第１保持板で保持される側からその反対側へと向かってその径が小さくされた截頭円錐形のコイルばねである形態。
【００１２】
前記スイベルの前記摘部には、その厚さ方向に貫通する孔が形成される形態。
【００１３】
前記スペースは、前記ブラケットおよび一対の側壁によって画定される形態。
【発明の効果】
【００１４】
この発明に係るロック機構付き掛止装置の実施形態によれば、ロック機構を構成するスイベルがばねによって付勢され、操作レバーを閉じ状態に維持することができるので、掛金本体の掛金と受金との掛止時において、この掛止状態を保持するのに有効である。
【図面の簡単な説明】
【００１５】
【図１】この発明の実施形態に係る掛止装置の使用状態の斜視図。
【図２】図１のＩＩ−ＩＩ線断面図。
【図３】掛止装置の掛金本体の受金に対する掛止めの前の状態の斜視図。
【図４】スイベルおよびブラケットの分解斜視図。
【図５】掛金本体の平面図。
【図６】図５のＶＩ−ＶＩ線断面図。
【図７】掛金本体の掛金が受金に掛止められている状態の平面図。
【発明を実施するための形態】
【００１６】
図１〜３を参照すると、掛止装置１は、縦方向Ｙ、横方向Ｘおよびこれらに直交する垂直方向Ｚを有し、第１および第２物体を互いに締結するために用いられ、例えば、第１物体としての筐体本体２に取付けられる掛金本体４と、第２物体としての該筐体本体２の蓋３に取付けられる、受金５とを含む。掛金本体４および受金５は、一般的には、それぞれ金属から形成される。
【００１７】
受金５は、ネジ等の締結手段によって蓋３に固定されるベース５１と、ベース５１から垂直方向Ｚへ突出するほぼＬ形の受部５２とから形成され、その全体の断面がほぼＵ字の形態を有する。受金５は、金属板材から形成され、したがって、受部５２の板面は平担であるところ、受部５２の両側縁５３は、後述する掛金３０の掛止部３２に形成される両保持縁３４ｂとの確実かつ安定的な接触を図るうえで、該板面と直角に交差する平担面に形成されることが好ましい。
【００１８】
掛金本体４は、ネジ等の締結手段によって筐体本体２に取付けられるベース１０と、操作レバー２０と、掛金３０とを含む。
図５を参照すると、掛金３０は、金属棒材から、近位端部（開端部）３０Ｐおよび遠位端部（閉端部）３０Ｄを有するほぼＵ字形態に形成される。さらに詳しくは、掛金３０は、操作レバー２０の近位端部２０Ｐ近傍における両側壁２１にピン２６によって旋回可能に連結され、縦方向Ｙへ平行に延びる両側部３１と、遠位端部３０Ｄにおいて横方向Ｘへ延びるとともに受金５の受部５２に掛けられる掛止部３２と、両側部３１と掛止部３２との間に延びる両案内部３３とから形成される。
【００１９】
両案内部３３は、両側部３１から掛止部３２へ向かってテーパに形成される。掛止部３２と両案内部３３とが互いに連なり、横方向Ｘに互いに対向する両内側角部の間には、内側向き、すなわち、ピン２６の側へ向く凹形の接触部３４が形成される。さらに詳しくは、接触部３４は、横方向Ｘへ延びて平担面に形成される凹面３４ａと、その両端に位置し平担面に形成され凹面３４ａと実質的に直角に交差する保持縁３４ｂとから画定される。接触部３４は、掛止部３２の内側に対するプレスまたは切削加工によって形成される。なお、近位端部３０Ｐにおいてピン２６で連結される部位の両側部３１は、扁平にプレス加工される。
【００２０】
操作レバー２０は、両側壁２１と、これらの間に位置する頂部２２とを有し、操作レバー２０の近位端部２０Ｐの近傍における両側壁２１において、これらを貫通するピン２３を介してベース１０の一端部に旋回可能に連結される。操作レバー２０は、これが閉じる（または倒れる）方向へピン２６を介して、ピン２３で支持されるコイルばね２４によって付勢される。したがって、操作レバー２０は、ばね２４の付勢に抗して開く（または起きる）方向へ旋回操作されない限り、ベース１０に対して閉じた（または倒れた）状態に保持される。
【００２１】
図４および６を参照すると、ベース１０上には、回り継手（スイベルアイ、以下、単にスイベルという）４０が配置される。スイベル４０のベース１０の前記一端部とは反対側の他端部近傍上には、ブラケット４５が配置される。ブラケット４５は、断面がＣ形鋼の形態であってその両側壁が縦方向Ｙの外側へほぼ直角に屈曲する形態を有していて、支持部４５ａと、両固定端部４５ｂとから形成され、固定端部４５ｂにおいてベース１０に固定される。
【００２２】
スイベル４０は、南京錠などのシャックル（図示せず）を通す孔４１を有する摘部４２と、摘部４２の幅寸法Ｗ１よりも小さい幅寸法Ｗ２の軸部４３と、摘部４２と軸部４３との間に幅寸法Ｗ１よりも小さく、かつ、幅寸法Ｗ２よりも大きい幅寸法Ｗ３の頸部４４とを有する。摘部４２と頸部４４との間には、第１肩部４２ａが形成され、軸部４３と頸部４４との間には第２肩部４４ａが形成される。
【００２３】
スイベル４０は、ブラケット４５によって、スイベル４０の軸方向、すなわち、垂直方向Ｚへ移動可能、かつ、該軸の回り方向へ旋回可能に支持される。詳しくは、次のとおりである。すなわち、
ベース１０の前記他端部近傍の両側縁において垂直方向Ｚへ屈曲する両側壁１１の間にはブラケット４５の支持部４５ａが位置し、これらによってスペースＳ１が形成される。支持部４５ａには、摘部４２の幅寸法Ｗ１より小さく、かつ、軸部４３の幅寸法Ｗ２よりも大きい直径寸法の円孔４６が位置する。支持部４５ａの内面にはスロット４７を有する第２保持板４８ｂが設けられる。スロット４７は、スイベル４０の軸部４３の軸方向への移動が可能なだけの寸法を有する。すなわち、スロット４７は、円孔４６の直径寸法よりも小さくて、軸部４３の幅寸法Ｗ２および厚さ寸法よりも僅かに大きい。スペースＳ１における軸部４３の端部は第２保持板４８ｂと対向する第１保持板４８ａに固定され、第１および第２保持板４８ａ，４８ｂの間で軸部４３には、スイベル４０をベース１０の側へ付勢させる截頭円錐形のコイルばね４９が設けられる。第１および第２保持板４８ａ，４８ｂは、円形であり、スペースＳ１において旋回可能な直径を有する。
【００２４】
図７を併せて参照すると、操作レバー２０の頂部２２には、スイベル４０の摘部４２および頸部４４の出入が可能な案内孔２５が位置する。案内孔２５は、円孔部２５ａとスロット部２５ｂとから形成される。円孔部２５ａは、摘部４２の幅寸法Ｗ１よりも小さくて頸部４４の幅寸法Ｗ３よりも大きい直径を有する。スロット部２５ｂは、縦方向Ｙへ延びる長さが摘部４２の幅寸法Ｗ１よりも大きく、横方向Ｘへ延びる幅が摘部４２の厚さ寸法よりも大きい。したがって、スイベル４０の摘部４２の幅方向が縦方向Ｙに一致する二点鎖線で示した状態においては、操作レバー２０が旋回可能であって、コイルばね２４の作用に抗して旋回することによって、図３に示した閉じられていない状態にすることができる。この状態においては、スイベル４０の第２肩部４４ａがブラケット４５の支持部４５ａにコイルばね４９の作用によって圧接する。
【００２５】
スイベル４０を図５および図７の実線で示した位置に旋回させるように操作することで、操作レバー２０の閉じた状態を保持することができる。すなわち、
スイベル４０の摘部４２の幅方向を操作レバー２０のスロット部２５ｂの長さ方向（縦方向Ｙ）と一致するようにした状態で、操作レバー２０をコイルばね２４の作用によって閉じると、摘部４２がスロット部２５ｂを通って操作レバー２０の頂部２２上から突出する。この状態で、摘部４２を摘まんでこれが操作レバー２０の頂部２２から離反するように引っ張って９０度だけ円孔部２５ａの内周に沿って旋回し、その引っ張りを解除すると、摘部４２の第１肩部４２ａがコイルばね４９の作用によって操作レバー２０の頂部２２に圧接する。したがって、操作レバー２０がスイベル４０によって確実に、かつ、スイベル４０が妄りに旋回しないように保持される。この状態で、スイベル４０の孔４１に南京錠などのシャックルが通され、操作レバー２０の閉じ状態が施錠される。なお、南京錠は、スイベル４０を旋回させない状態、すなわち、スイベル４０の幅方向がスロット部２５ｂに一致する状態で、シャックルを孔４１に通し施錠することもできる。
【００２６】
再び図１を参照すると、掛止装置１において、図示の掛止状態を解除するには、スイベル４０の摘部４２を摘まんで９０度だけ旋回してその幅方向を操作レバー２０のスロット部２５ｂの長さ方向と一致するように、すなわち縦方向Ｙと一致させ、摘部４２の第１肩部４２aによる操作レバー２０の頂部２２に対する圧接を解除する。さらに、操作レバー２０をコイルばね２４の作用に抗してベース１０から離反する方向へ旋回することにより、掛金３０の受金５に対する掛止めを解除する（図２および図３参照）。
一方、掛止装置１において、前記解除状態から前記掛止状態にするには、前記操作と逆操作すればよいが、掛金３０と受金５との関係について特に述べると、次のとおりである。すなわち、操作レバー２０を受金５の側へ旋回し、受金５の受部５２が掛金３０の内側に位置するようにしたのち、操作レバー２０をベース１０の側へ旋回すると、掛金３０の掛止部３２に形成される接触部３４が受部５２に嵌合状態に、特に両保持縁３４ｂが受部５２の両側縁５３に接触してこれを保持する状態になる。
【００２７】
この実施形態において、ブラケット４５、スイベル４０、コイルばね４９、および、操作レバー２０に設けられた案内孔２５によってロック機構を形成し、ロック機構によって、操作レバー２０の閉じ状態を維持することができる。ロック機構によって操作レバー２０の閉じ状態を維持することができるので、受金５と掛金３０との掛止状態を保持することができる。
【００２８】
ブラケット４５のスペースＳ１内に設けられたコイルばね４９は、截頭円錐形とされるが、これに限ったものではなく、例えば、その径が垂直方向で等しい円柱状のものであってもよい。ただし、第１保持板４８ａで保持される側から第２保持板４８ｂで保持される側へとその径が小さくされた截頭円錐形のコイルばね４９を用いることによって、スペースＳ１の省スペース化を実現することができる。すなわち、截頭円錐形のコイルばね４９は、これを垂直方向Ｚへ圧縮した場合でも線径が重ならないから、同じ材質および太さのコイルであって、直径が等しい円柱状のばねを用いた場合に比べて、垂直方向Ｚにおけるスペースを小さくすることができる。また、円柱状のばねを用いた場合に比べて、その径方向における寸法を小さくすることもでき、スペースＳ１の省スペース化を図ることができる。
【００２９】
スペースＳ１内にコイルばね４９を配置することによって、ばねが他の部材や操作する人の指に引っ掛かったりするのを予防することができる。特に、スペースＳ１は、ブラケット４５と両側壁１１とによって囲まれているから、より一層引っ掛かり難くすることができる。
円孔４６が形成されたブラケット４５の支持部４５ａの内側に、スロット４７が形成された第２保持板４８ｂを設けることで、スペースＳ１内に粉塵が入るのを予防することができる。スロット４７の面積は、円孔４６よりも小さく、スイベル４０の軸部４３より僅かに大きい程度としているからである。
【００３０】
なお、第１物体として筐体本体を用い、第２物体として蓋を用いているが、これに限られるものではない。また、筐体本体２に掛金本体４を、蓋３に受金５を取り付けることとしているが、これらが逆に、すなわち、筐体本体２に受金５を、蓋３に掛金本体４を取り付けるものであってもよい。
【符号の説明】
【００３１】
１    掛止装置
２    第１物体（筐体本体）
３    第２物体（蓋）
４    掛金本体
５    受金
１０    ベース
１１    両側壁
２０    操作レバー
２０Ｐ  第１近位端部（近位端部）
２０Ｄ  第１遠位端部（遠位端部）
２５    案内孔
２５ａ  円孔部
２５ｂ  スロット部
３０    掛金
４０    スイベル
４１    孔
４２    摘部
４２ａ  第１肩部
４３    軸部
４４    頸部
４４ａ  第２肩部
４５    ブラケット
４５ａ  支持部
４５ｂ  固定端部
４６    円孔
４７    スロット
４８ａ  第１保持板
４８ｂ  第２保持板
４９    ばね（コイルばね）
Ｓ１    スペース
【図１】
0005822782.tif 000002
【図２】
0005822782.tif 000003
【図３】
0005822782.tif 000004
【図４】
0005822782.tif 000005
【図５】
0005822782.tif 000006
【図６】
0005822782.tif 000007
【図７】
0005822782.tif 000008